(57)【要約】【課題】  洗面器及び手洗い器なとの排水口を開閉する排水栓は、排水口より容易に引抜くことができるために、引抜かれて紛失することが少なくなかった。【解決手段】  排水栓の開閉で、排水栓の支持部に取付けられた係合部材の弾性係止爪が、排水口に形成されたオーバーフロー口内を昇降可能とし、オーバーフロー口縁で係止して排水口よりの抜止めをし、その排水栓器具の盗難、紛失の防止がされるものである。【選択図】図１
2008291624.tif 000002
【特許請求の範囲】
【請求項１】
オーバーフロー口が形成された排水口を開閉する排水栓において、排水栓にはオーバーフロー口内を動き、且つオーバーフロー口縁で係止する弾性係止爪が形成され、排水口からの排水栓の抜止めがされることを特徴とする排水栓装置。
【請求項２】
排水栓の支持部には、該支持部の傾きを矯正する振れ止め羽根を設け、この振れ止め羽根の外側部が、排水口に形成されたオーバーフロー口内を動き、且つオーバーフロー口縁で係止する弾性係止爪を設け備えられ、この弾性係止爪をもって、排水栓が排水口からの抜止めされることを特徴とする請求項１記載の排水栓装置。
【請求項３】
排水栓の支持部には、振れ止め羽根を設け、該振れ止め羽根が前記支持部を軸に回転自在とすることを特徴とする請求項２記載の排水栓装置。
【請求項４】
振れ止め羽根は、少なくとも２本の放射状に延伸する羽根でなり、その少なくとも２本の対称的にある羽根の先外側端には、同一周方向へ伸展する弾性係止爪が形成されていることを特徴とする請求項２乃至３のいずれか１項に記載の排水栓装置。
【請求項５】
振れ止め羽根は、少なくとも４本の放射状に延伸する羽根でなり、その対称的にある隣合う羽根の先外側端同士を連係して弾性係止爪が形成されることを特徴とする請求項２乃至３のいずれか１項に記載の排水栓装置。
【請求項６】
各弾性係止爪が、外周側へ山型に突出する弾性板でなることを特徴とする請求項１乃至５のいずれか１項に記載の排水栓装置。
【発明の詳細な説明】
【技術分野】
【０００１】  本発明は、洗面器及び手洗い器などの排水口を開閉する排水栓に関するものである。
【背景技術】
【０００２】  洗面器及び手洗い器などの排水口には、この排水口を開閉する排水栓が設けられ、その排水栓の支持部は、その傾きの矯正をする振れ止め羽根が取付けられている。
一方、これらの排水栓装置は、清掃等の便宜の関係から排水栓器具を排水口より引き抜くことができるようになっている。
しかしながら、これら排水栓器具は、引き抜くことができるため、引き抜かれて紛失してしまうことも少なくなかった。【０００３】  そこで、従来にも、既に排水栓装置には、排水栓器具が引き抜かれて紛失してしまわないようにしたものがあった。
排水栓の支持部（ロッド）下部に形成されたストッパーを排水口に設けられた保持片に係止して、排水口を開放した状態で、排水栓支持部が排水口保持片に保持させられ、排水栓の排水口からの離脱が阻止される抜止め手段を備えた排水栓装置があった（特許文献１）。【０００４】  また、排水口に設置された目皿の中心部を移動可能に貫通する排水栓（栓蓋）の支持部（支軸）下端部には雄ねじで固定された角枠形状の係合部材を備え、該係合部材は、排水口内の直径方向に設けられた十字状の係止部に昇降可能の係合をし、支持部を介して位置合せの回転がされたとき、離脱する切欠部が設けられているものである。そして、係合部材を係止部に係合することで、盗難や紛失の防止がされ、切欠部により係合部材を係止部から離脱した場合には、排水口付近の清掃作業に良好とする排水栓装置である（特許文献２）。【０００５】
【特許文献１】  特開２００４−３２９６５８号
【特許文献２】  特開２００５−２９０７１０号
【発明の開示】
【発明が解決しようとする課題】
【０００６】  排水栓の支持部下端部に形成されたストッパーを排水口に設けられた保持片に係止、保持させて、排水栓の排水口からの離脱が阻止される抜止め手段を備えた排水栓装置（特許文献１）においては、排水栓の排水口からの抜止めが施されているので、悪戯によって持ち去られたり、いつのまにか紛失してしまうことがなかったが、清掃作業のとき、排水栓が排水口から抜止めされているので取外しできず、排水口内の清掃作業がやりにくかった。【０００７】  また、排水栓の支持部下端部に雄ねじで固定された角枠形状の係合部材を備え、排水口内の十字状係止部に昇降可能の係合をして盗難や紛失の防止に供し、清掃作業などには、係合部材に設けられた切欠部と十字状係止部とを位置合せさせ、離脱できるようにした排水栓装置（特許文献２）においては、排水口内に昇降可能の抜止めを備えた係合部材が、その機能を保たせる為に嵩張って、広くなければならない流れ断面を狭めてしまって排水に支障を来たすことになると共に、毛髪などが引掛って排水流れを堰止めてしまうことになって不都合である。
【課題を解決するための手段】
【０００８】  本発明は、排水栓の開閉で、排水栓に取付けられた係合部材の弾性係止爪が、排水口に形成されたオーバーフロー口内を昇降可能とし、オーバーフロー口縁で係止して排水口よりの抜止めをし、その排水栓器具の盗難、紛失などの防止がされ、排水栓を故意の強制回転で、前記係止が離脱されて排水栓器具を排水口より抜き出すことができる排水栓装置であって、その係合部材が嵩張って排水口内を狭めてしまうことがないものである。【０００９】  本発明の排水栓装置は、オーバーフロー口が形成された排水口を開閉する排水栓において、排水栓にはオーバーフロー口内を動き、且つオーバーフロー口縁で係止する弾性係止爪が形成され、排水口からの排水栓の抜止めがされるものである。【００１０】  本発明の排水栓装置は、排水栓の支持部には、該支持部の傾きを矯正する振れ止め羽根を設け、この振れ止め羽根の外側部が、排水口に形成されたオーバーフロー口内を動き、且つオーバーフロー口縁で係止する弾性係止爪を設け備えられ、この弾性係止爪をもって、排水栓が排水口からの抜止めされるものである。【００１１】  本発明の排水栓装置は、排水栓の支持部には、振り止め羽根を設け、該振れ止め羽根が前記支持部を軸に回転自在とするものである。【００１２】  本発明の排水栓装置は、振れ止め羽根が少なくとも２本の放射状に延伸する羽根でなり、その少なくとも２本の対称的にある羽根の先外側端には、同一周方向へ伸展する弾性係止爪が形成されているものである。【００１３】  本発明の排水栓装置は、振り止め羽根が、少なくとも４本の放射状に延伸する羽根でなり、その対称的にある隣合う羽根の先外側端同士を連係して弾性係止爪が形成されるものである。【００１４】  本発明の排水栓装置は、各弾性係止爪が、外周側へ山型に突出する弾性板でなるものである。
【発明の効果】
【００１５】  本発明の排水栓装置は、従来、備えられている排水口に設けられているオーバーフロー口が、排水栓に形成した弾性係止爪のオーバーフロー口内での動きに、且つオーバーフロー口縁との係止に用いられることで、排水栓の開閉のための昇降、及び盗難、紛失防止の抜止めをし、これを用いることによって、部品点数を少なくし、それ専用の係合部材を備える必要がない上、嵩張らないので、排水口内を狭めることなく、流れ断面を最大限に広くすることができる。更に、毛髪などが引掛かるものがないので衛生的である。そして、排水栓器具の清掃で排水栓の故意の強制回転をすれば、容易に抜き取ることができるものである。【００１６】  本発明の排水栓装置は、従来排水口に設けられているオーバーフロー口に、更に排水栓の支持部の傾きを矯正するため備えられている従来の振れ止め羽根をもって、その振れ止め羽根の外側部に、オーバーフロー口内を動き、且つオーバーフロー口縁で係止する弾性係止爪が設けられることによって、構造が嵩張らないで排水口の流れ断面を狭めることなくでき、そして、弾性係止爪のオーバーフロー口内の動き、且つオーバーフロー口縁との係止で、排水栓の排水口よりの盗難、紛失防止の抜止めができる。よって、排水栓と共に振れ止め羽根を排水口に単に装填するだけで容易に設置することができ、そして、排水栓器具の清掃のために、排水栓を故意の強制回転して引抜けば、容易に取外すことができる。【００１７】  本発明の排水栓装置は、排水栓の支持部に、オーバーフロー口内を動き、且つオーバーフロー口縁で係止する弾性係止爪が形成された振れ止め羽根を設け、この振れ止め羽根が支持部を軸に回転自在とすることによって、振れ止め羽根を握って故意に回転しないかぎりは、弾性係止爪のオーバーフロー口縁からの係止が解除されず、容易にこの係止が解かれないので、盗難、紛失防止におおいに役立つことができる。【００１８】  本発明の排水栓装置におけるオーバーフロー口内を動き、オーバーフロー口縁に係止する振れ止め羽根の弾性係止爪は、対称的にある羽根の先外側端より同一周方向へ伸展するものであるので、良好な弾性を有し、盗難、紛失防止のためオーバーフロー口縁と容易、且つ正確に係止して排水栓の抜止めをするものである。
そして、施工業者、清掃者が、故意に排水栓と共に振れ止め羽根を強制回転することによって、適度な弾性を有する弾性係止爪がオーバーフロー口縁を乗り越えて排水栓の排水口よりの抜取りをすることができ、排水栓器具の清掃を容易にすることができる。【００１９】  そして、放射状に延伸する羽根のその対称的にある隣合う羽根の先外側端同士を連係して弾性係止爪が形成されることによって、振れ止め羽根の先外側端より同一方向へ伸展する前記片持ち支持の弾性係止爪よりは、支持強度を強くすることができて、オーバーフロー口縁との係止におおいに帰依することができ、片持ち支持による自由端での引掛りをなくすことができる。【００２０】  なお、各弾性係止爪は、外周側へ山型に突出する弾性板にすることで、オーバーフロー口縁との係止を強化することができると共に、係止を解除するための故意の強制回転では、方向性がなく、滑らかな係止解除ができる。
【発明を実施するための形態】
【００２１】  本発明の排水栓装置は、洗面器及び手洗い器などの排水口を開閉する排水栓であって、盗難及び紛失の防止のための抜止め部材を備えたものである。
本発明の排水栓装置は、図１、図２で示す如く、オーバーフロー口４が形成された排水口１を開閉する排水栓２であって、排水口１は、口金具１１によって洗面器及び手洗い器のボウル１０がパッキン１２を介してナット１３による締付けで取付けられて形成し、また、袋ナット１３ａによって排水管１４が遠隔操作のためのレリースワイヤ１５の作動部１６を支持する支持部材１７を介在して前記口金具１１に接続される。
排水栓２は、レリースワイヤ１５による遠隔操作によって作動する作動部１６に排水栓の支持部３が接続され、排水口１を開閉する該排水栓２の支持部３には、排水口１のオーバーフロー口４の口内４ａを動き、且つ口縁４ｂに係止する弾性係止爪５が形成され、該弾性係止爪５をオーバーフロー口内４ａに上下動させることによって、排水栓２の開閉の昇降をし、オーバーフロー口縁４ｂに係止されることによって、排水栓２の排水口１よりの抜止めをし、盗難、紛失を防止することになる。施工業者及び清掃者だけが知ることであるが、故意による排水栓２の強制回転させることで、弾性係止爪５のオーバーフロー口縁４ｂとの係止が解除されて、排水栓器具の清掃などのための排水栓２の排水口１よりの引抜きをすることができる。
【００２２】  図３、図４に示す如く、オーバーフロー口内４ａを動き、オーバーフロー口縁４ｂに係止する弾性係止爪５が、排水栓２の支持部３の傾きを矯正する振れ止め羽根６に設けられている。
排水栓２の開閉により該排水栓の支持部３に装着の振れ止め羽根６は昇降し、該振れ止め羽根の外側部６０に設けられた弾性係止爪５が、オーバーフロー口内４ａを動き、オーバーフロー口縁４ｂに係止することで、排水栓２の排水口１よりの抜止めがされ、盗難、紛失の防止をすることができる。
また、施工業者、清掃者が、排水栓器具の清掃作業のため、故意に排水栓、及び振れ止め羽根を強制回転させると、弾性係止爪５はオーバーフロー口縁４ｂとの弾性的係止が解除され、排水栓器具を排水口より抜き出すことができるものである。
そして、振れ止め羽根６の排水栓２への取付けは、排水栓２の栓蓋に支持部３の支柱が取付けられるに当って、該支柱の上端細首部３１に振れ止め羽根６を回らないように装着してなるものであるが、これを振れ止め羽根６が支持部の細首部３１を軸に回るように装着された場合には、オーバーフロー口内４ａを弾性係止爪５が上下動し、排水栓が昇降して開閉され、オーバーフロー口縁４ｂに弾性係止爪５が係止して抜止めされている排水栓を、清掃等で引抜くには、排水栓２を開いた上で、これと共に振れ止め羽根５を握り摘んで故意に強制回転することで、弾性係止爪５のオーバーフロー口縁４ｂよりの係止が解除され、引抜きができることになる。
よって、誰でもが、排水口１より排水栓２を引抜きできるものでないので、盗難、紛失の虞は一層少なくなる。
【００２３】  振れ止め羽根は、図５、図６、そして図７に示す如く、少なくとも２本の放射状に延伸する羽根６１でなり、その少なくとも２本の対称的にある羽根の先外側端には、同一方向へ伸展する弾性係止爪５が形成されている。そして各弾性係止爪５が外周側へ山型５１に突出する弾性板でなっている。
よって、弾性係止爪５は、排水口１のオーバーフロー口内４ａを上下動し、排水栓２をその開閉で昇降することができるが、オーバーフロー口縁４ｂに弾性係止爪５の山型５１が係止されて抜止めされる。そして、施工業者、並びに清掃者なる者が故意に強制回転されると、弾性係止爪５は弾性板であるので撓んで、係止が解除され、排水口１より排水栓並びに弾性係止爪などの排水栓器具を引抜くことができるようになる。
【００２４】  図８、図９、そして図１０に示す如く、振れ止め羽根６ａは、少なくとも４本の放射状に伸延する羽根６１ａでなり、その対称的にある隣合う羽根の先外側端同士を連係して弾性係止爪５ａが形成され、その各弾性係止爪５ａは、外周側へ山型５１ａに突出する弾性板でなっている。
この弾性係止爪５ａは、その隣合う羽根の先外側端同士を連係した、所謂、両端が羽根６１ａに支持固定されたものであるので、強度を増すことになって、オーバーフロー口縁４ｂとの係止に捩れを生ぜず、確実にできることになる。そして、清掃などで弾性係止爪５ａを故意に強制回転させると、該弾性係止爪５ａは弾性板であるので、撓んで山型５１ａが凹み、オーバーフロー口縁４ｂとの係止を解除することになり、排水栓並びに弾性係止爪などの排水栓器具を排水口１より引抜くことができるようになる。
【図面の簡単な説明】
【００２５】
【図１】  排水栓の開閉状態図（オーバーフロー口縦断面）である。
【図２】  排水栓の開閉状態図（オーバーフロー口のない位置での縦断面）である。
【図３】  片持ち弾性係止爪を排水口に組込んだ状態の横断面図である。
【図４】  振れ止め羽根を備えた排水栓側面図である。
【図５】  弾性係止爪の上面図である。
【図６】  弾性係止爪の前面図である。
【図７】  弾性係止爪の側面図である。
【図８】  羽根に連係した弾性係止爪を排水口に組込んだ状態の断面図である。
【図９】  弾性係止爪の上面図である。
【図１０】  弾性係止爪の前面図である。
【符号の説明】
【００２６】１        排水口
１０      ボウル
１１      口金具
１２      パッキン
１３      ナット
１３ａ    袋ナット
１４      排水管
１５      レリースワイヤ
１６      作動部
１７      支持部材
２        排水栓
３        支持部
３１      細首部
４        オーバーフロー口
４ａ      口内
４ｂ      口縁
５        弾性係止爪
５ａ      弾性係止爪
５１      山型
５１ａ    山型
６        振れ止め羽根
６ａ      振れ止め羽根
６０      外側部
６１      羽根
６１ａ    羽根
【図１】
2008291624.tif 000003
【図２】
2008291624.tif 000004
【図３】
2008291624.tif 000005
【図４】
2008291624.tif 000006
【図５】
2008291624.tif 000007
【図６】
2008291624.tif 000008
【図７】
2008291624.tif 000009
【図８】
2008291624.tif 000010
【図９】
2008291624.tif 000011
【図１０】
2008291624.tif 000012